(57)【要約】【課題】床暖房装置の施工性を向上させる。詳細には、床暖房装置の施工時に軟質下地部と硬質下地材とを調整して組み立てる煩わしさを排除する。【解決手段】床暖房装置１の一部を構成する軟質下地部２を有する床暖房用ユニット４を設ける。床暖房用ユニット４においては、軟質下地部２を複数配列し、軟質下地部２の下側に底部３を配置し、隣接する軟質下地部２の間に凹部６を形成する。その凹部６内に硬質下地材５を挿入することにより、軟質下地部２に対して硬質下地材５を位置決めする。【選択図】        図１
2004353982.tif 000002
【特許請求の範囲】
【請求項１】
床暖房装置の一部を構成する軟質下地部を有する床暖房用ユニットにおいて、前記軟質下地部を複数配列し、前記軟質下地部の下側に底部を配置し、隣接する軟質下地部の間に、硬質下地材を配置するための凹部を形成したことを特徴とする床暖房用ユニット。
【請求項２】
前記軟質下地部の熱伝導係数と前記硬質下地材の熱伝導係数とをほぼ等しくしたことを特徴とする請求項１に記載の床暖房用ユニット。
【請求項３】
前記底部と前記軟質下地部とを一部材により形成したことを特徴とする請求項１又は２に記載の床暖房用ユニット。
【請求項４】
前記底部と前記軟質下地部とを別部材により形成し、床暖房装置の施工前に、前記硬質下地材が前記底部に対して予め取付けられ、前記硬質下地材と前記軟質下地部とは結合されないことを特徴とする請求項１又は２に記載の床暖房用ユニット。
【請求項５】
請求項１〜４のいずれか一項に記載の床暖房用ユニットを有する床暖房装置。
【請求項６】
床暖房装置の施工時に床暖房用ヒータを保護するためのヒータ保護部材において、前記床暖房用ヒータの下側に配置された下地材に対して前記ヒータ保護部材がずれるのを防止または抑制するための位置ずれ防止手段を具備することを特徴とするヒータ保護部材。
【請求項７】
面ファスナーにより、前記下地材に対して前記ヒータ保護部材がずれるのを防止または抑制することを特徴とする請求項６に記載のヒータ保護部材。
【請求項８】
フェルト材により構成された前記下地材に対して前記ヒータ保護部材を固定するために、前記面ファスナーに鉤状突起を設けたことを特徴とする請求項７に記載のヒータ保護部材。
【請求項９】
次回の床暖房装置の施工時に再利用されることを特徴とする請求項６〜８のいずれか一項に記載のヒータ保護部材。
【請求項１０】
請求項６〜９のいずれか一項に記載のヒータ保護部材を用いた床暖房装置の施工方法。
【発明の詳細な説明】
【０００１】
【発明の属する技術分野】
本発明は、床暖房装置の一部を構成する軟質下地部を有する床暖房用ユニットおよびそれを有する床暖房装置に関し、特には、床暖房装置の施工を簡略化することができる床暖房用ユニットおよびそれを有する床暖房装置に関する。詳細には、床暖房装置の施工時に軟質下地部と硬質下地材とを調整して組み立てる煩わしさを排除することができる床暖房用ユニットおよびそれを有する床暖房装置に関する。
【０００２】
更に本発明は、床暖房装置の施工時に床暖房用ヒータを保護するためのヒータ保護部材およびそれを用いた床暖房装置の施工方法に関し、特には、床暖房装置の施工時にヒータ保護部材が剥がれてしまうのに伴って床暖房用ヒータが傷つけられてしまうのを抑制することができるヒータ保護部材およびそれを用いた床暖房装置の施工方法に関する。
【０００３】
【従来の技術】
従来から、床暖房装置においては、一般的に、床暖房用ヒータからの熱を断熱するため、および、床暖房用ヒータの配線を収容するために、断熱材を兼ねた下地材が床暖房用ヒータの下側に配置されている。この下地材を硬質材料のみによって構成した場合には、床暖房装置が設けられた室内の音を十分に遮音することができなくなってしまう。また、単一又は複数の比較的大きい硬質材料によって下地材が構成される場合には、下地材を折りたたむことができず、下地材の搬送が困難になってしまう。
【０００４】
一方、下地材を軟質材料のみによって構成した場合には、軟質材料が床上荷重に耐えることができず、陥没が発生するおそれが生じてしまう。
【０００５】
上述した問題点に鑑み、軟質下地材および硬質下地材の両方を有する床暖房装置が知られている。この種の床暖房装置の例としては、例えば特開２００１−１１０５５２号公報に記載されたものがある。特開２００１−１１０５５２号公報に記載された床暖房装置では、断熱材が軟質下地材として用いられ、小根太が硬質下地材として用いられている。つまり、特開２００１−１１０５５２号公報に記載された床暖房装置では、軟質下地材または硬質下地材の一方のみが用いられるのに伴う問題点の解消が図られている。
【０００６】
ところが、特開２００１−１１０５５２号公報に記載された床暖房装置では、軟質下地材および硬質下地材の両方が用いられているため、軟質下地材または硬質下地材の一方のみが用いられている場合よりも、床暖房装置の施工が煩雑になってしまう。詳細には、床暖房装置の施工時に軟質下地材と硬質下地材とを調整して組み立てる煩わしさが生じてしまう。
【０００７】
また、従来から、床暖房装置の施工時においては、床暖房装置の下地材上に配置されて露出せしめられている床暖房用ヒータが傷つけられてしまうのを抑制するために、床暖房用ヒータを梱包していた梱包材が保護手段として床暖房用ヒータ上に配置され、施工が行われている。それにより、保護手段が床暖房用ヒータ上に配置されることなく施工が行われる場合に比べ、床暖房用ヒータが傷つけられてしまうのが抑制されている。
【０００８】
ところが、床暖房装置の施工時には、床暖房用ヒータを保護するために床暖房用ヒータ上に配置された梱包材の上で、資材の運搬等が頻繁に行われる。一方で、床暖房用ヒータを保護するために用いられている梱包材は、床暖房用ヒータ、あるいは、その下側に配置された床暖房装置の下地材に対して固定されていない。そのため、床暖房装置の施工時に、例えば、運搬されている資材などが引っ掛かることによって、その梱包材が剥がれてしまうおそれがある。その場合には、運搬されている資材などによって、床暖房用ヒータが傷つけられてしまうおそれが生じてしまう。
【０００９】
【特許文献１】
特開２００１−１１０５５２号公報
【００１０】
【発明が解決しようとする課題】
前記問題点に鑑み、本発明は、床暖房装置の施工性を向上させることができる床暖房用ユニットおよびそれを有する床暖房装置並びにヒータ保護部材およびそれを用いた床暖房装置の施工方法を提供することを目的とする。
【００１１】
詳細には、本発明は、床暖房装置の施工を簡略化することができる床暖房用ユニットおよびそれを有する床暖房装置、つまり、床暖房装置の施工時に軟質下地部と硬質下地材とを調整して組み立てる煩わしさを排除することができる床暖房用ユニットおよびそれを有する床暖房装置を提供することを目的とする。
【００１２】
更に、本発明は、床暖房装置の施工時にヒータ保護部材が剥がれてしまうのに伴って床暖房用ヒータが傷つけられてしまうのを抑制することができるヒータ保護部材およびそれを用いた床暖房装置の施工方法を提供することを目的とする。
【００１３】
【課題を解決するための手段】
請求項１に記載の発明によれば、床暖房装置の一部を構成する軟質下地部を有する床暖房用ユニットにおいて、前記軟質下地部を複数配列し、前記軟質下地部の下側に底部を配置し、隣接する軟質下地部の間に、硬質下地材を配置するための凹部を形成したことを特徴とする床暖房用ユニットが提供される。
【００１４】
請求項１に記載の床暖房用ユニットでは、軟質下地部が複数配列され、それらの軟質下地部の下側に底部が配置され、隣接する軟質下地部の間に、硬質下地材を配置するための凹部が形成されている。つまり、軟質下地部に対して硬質下地材を位置決めするための凹部が、底部と軟質下地部とによって構成されている。そのため、凹部内に硬質下地材を挿入することのみにより、軟質下地部に対して硬質下地材を容易に位置決めすることができる。すなわち、床暖房装置の施工時に軟質下地部と硬質下地材とを調整して組み立てる煩わしさを排除することができる。つまり、従来よりも床暖房装置の施工性を向上させることができる。
【００１５】
請求項２に記載の発明によれば、前記軟質下地部の熱伝導係数と前記硬質下地材の熱伝導係数とをほぼ等しくしたことを特徴とする請求項１に記載の床暖房用ユニットが提供される。
【００１６】
請求項２に記載の床暖房用ユニットでは、軟質下地部の熱伝導係数と硬質下地材の熱伝導係数とがほぼ等しくされている。そのため、軟質下地部の熱伝導係数と硬質下地材の熱伝導係数とが異なるのに伴って床に温度ムラが発生してしまうのを回避することができる。
【００１７】
請求項３に記載の発明によれば、前記底部と前記軟質下地部とを一部材により形成したことを特徴とする請求項１又は２に記載の床暖房用ユニットが提供される。
【００１８】
請求項３に記載の床暖房用ユニットでは、底部と軟質下地部とが一部材により形成されている。そのため、底部と軟質下地部とが別部材によって形成されている場合よりも部品数を低減することができる。
【００１９】
請求項４に記載の発明によれば、前記底部と前記軟質下地部とを別部材により形成し、床暖房装置の施工前に、前記硬質下地材が前記底部に対して予め取付けられ、前記硬質下地材と前記軟質下地部とは結合されないことを特徴とする請求項１又は２に記載の床暖房用ユニットが提供される。
【００２０】
底部と軟質下地部とが比較的脆い材料によって一部材として形成されている場合には底部と軟質下地部とから構成される床暖房用ユニットを小さく折りたたむことができない点に鑑み、請求項４に記載の床暖房用ユニットでは、底部と軟質下地部とが別部材により形成されている。そのため、床暖房装置の施工前の運搬時などに、例えば底部を折り曲げることにより、床暖房ユニットを小さく折りたたむことができる。更に、床暖房装置の施工前に、硬質下地材が底部に対して予め取付けられている。そのため、床暖房装置の施工時に硬質下地材を底部に対して取付けなければならない場合よりも床暖房装置の施工を簡略化することができる。更に、硬質下地材と軟質下地部とは結合されない。そのため、床暖房装置の施工前に硬質下地材と軟質下地材とが結合されるのに伴って床暖房装置の施工前の運搬時などに床暖房ユニットを小さく折りたためなくなってしまうのを回避することができる。
【００２１】
請求項５に記載の発明によれば、請求項１〜４のいずれか一項に記載の床暖房用ユニットを有する床暖房装置が提供される。
【００２２】
請求項５に記載の床暖房用ユニットを有する床暖房装置では、床暖房装置の施工時に軟質下地部と硬質下地材とを調整して組み立てる煩わしさを排除することができる。
【００２３】
請求項６に記載の発明によれば、床暖房装置の施工時に床暖房用ヒータを保護するためのヒータ保護部材において、前記床暖房用ヒータの下側に配置された下地材に対して前記ヒータ保護部材がずれるのを防止または抑制するための位置ずれ防止手段を具備することを特徴とするヒータ保護部材が提供される。
【００２４】
請求項７に記載の発明によれば、面ファスナーにより、前記下地材に対して前記ヒータ保護部材がずれるのを防止または抑制することを特徴とする請求項６に記載のヒータ保護部材が提供される。
【００２５】
請求項８に記載の発明によれば、フェルト材により構成された前記下地材に対して前記ヒータ保護部材を固定するために、前記面ファスナーに鉤状突起を設けたことを特徴とする請求項７に記載のヒータ保護部材が提供される。
【００２６】
請求項６〜８に記載のヒータ保護部材では、床暖房用ヒータの下側に配置された下地材に対してヒータ保護部材がずれるのを防止または抑制するための位置ずれ防止手段が設けられている。詳細には、下地材に対してヒータ保護部材がずれるのが、例えば面ファスナーにより防止または抑制される。更に詳細には、例えば、フェルト材により構成された下地材に対してヒータ保護部材を固定するために、面ファスナーに鉤状突起が設けられている。そのため、床暖房装置の施工時にヒータ保護部材が剥がれてしまうのに伴って床暖房用ヒータが傷つけられてしまうのを抑制することができる。つまり、従来よりも床暖房装置の施工性を向上させることができる。
【００２７】
請求項９に記載の発明によれば、次回の床暖房装置の施工時に再利用されることを特徴とする請求項６〜８のいずれか一項に記載のヒータ保護部材が提供される。
【００２８】
請求項９に記載のヒータ保護部材では、床暖房装置の施工時に利用されたヒータ保護部材が次回の床暖房装置の施工時に再利用される。そのため、一度しか利用されていないヒータ保護部材が床暖房装置の施工時毎に廃棄される場合よりも、床暖房装置の施工時の廃棄物の量を低減することができる。
【００２９】
請求項１０に記載の発明によれば、請求項６〜９のいずれか一項に記載のヒータ保護部材を用いた床暖房装置の施工方法が提供される。
【００３０】
請求項１０に記載のヒータ保護部材を用いた床暖房装置の施工方法では、床暖房装置の施工時にヒータ保護部材が剥がれてしまうのに伴って床暖房用ヒータが傷つけられてしまうのを抑制することができる。
【００３１】
【発明の実施の形態】
以下、添付図面を用いて本発明の実施形態について説明する。
【００３２】
図１は本発明の床暖房装置の第１の実施形態の斜視図、図２は図１に示した床暖房装置の断面図、図３は図１に示した床暖房装置の分解組立図である。図１〜図３において、１は床暖房装置、２は床暖房装置１の一部を構成する軟質下地部である。３は軟質下地部２の下側に配置された底部、４は軟質下地部２および底部３により構成された床暖房用ユニットである。つまり、第１の実施形態の床暖房装置では、軟質下地部２と底部３とが一部材により形成されている。５は隣接する軟質下地部２の間に配置された硬質下地材、６は硬質下地材５を配置するために隣接する軟質下地部２の間に形成された凹部である。７は例えばＰＴＣ発熱体のような床暖房用ヒータ、８はフロア材、９は床下地材である。
【００３３】
図１〜図３に示すように、第１の実施形態の床暖房装置では、床暖房用ヒータ７からの熱を断熱するために、軟質下地部２が床暖房用ヒータ７の下側に配置されている。また、この軟質下地部２により、床暖房装置が設けられた室内の音が遮音されるようになっている。更に、軟質下地部２とは別個に設けられた硬質下地材５により、床上荷重に耐えることができるようになっている。つまり、床暖房装置が設置されている部分の耐荷重が、床暖房装置が設置されていない部分の耐荷重よりも劣ってしまうのが回避されている。すなわち、床暖房装置が設置されている部分と床暖房装置が設置されていない部分とで、歩行感がほぼ同様になるように構成されている。
【００３４】
また、第１の実施形態の床暖房装置では、軟質下地部２の温度と硬質下地材５の温度とを均一にするために、軟質下地部２の熱伝導係数と硬質下地材５の熱伝導係数とがほぼ等しくされている。その結果、フロア材８上における温度ムラが抑制されている。詳細には、軟質下地部２の熱伝導係数と硬質下地材５の熱伝導係数とをほぼ等しくするために、軟質下地部２を構成する基材と硬質下地材５を構成する基材とが、例えばフェルト材のような同一素材により形成されている。その結果、それらが別素材により形成されている場合よりもコストが抑制されている。
【００３５】
図３に詳細に示すように、第１の実施形態の床暖房装置の施工時には、まず、軟質下地部２および底部３により構成された床暖房用ユニット４が、床下地材９（図１参照）上に配置される。次いで、隣接する軟質下地部２の間に形成された凹部６に硬質下地材５が挿入される。次いで、それらの上に床暖房用ヒータ７が配置される。次いで、それらの上にフロア材８が配置され、硬質下地材５に対してフロア材８が釘打ちされる。
【００３６】
図３に示すように、第１の実施形態の床暖房装置の施工時には、フロア材８が配置されていないタイミング、つまり、軟質下地部６上に配置された床暖房用ヒータ７が露出せしめられているタイミングが存在する。そこで、第１の実施形態の床暖房装置の施工方法では、床暖房用ヒータ７が、露出せしめられている時に傷つけられてしまうのを抑制する方法が採用されている。
【００３７】
図４〜図６は床暖房用ヒータが傷つけられるのを抑制する方法を示した図である。詳細には、図４は床暖房用ヒータが傷つけられるのを抑制する方法を示した図１と同様の斜視図、図５は床暖房用ヒータが傷つけられるのを抑制する方法を示した図２と同様の断面図、図６は床暖房用ヒータが傷つけられるのを抑制する方法を示した図３と同様の分解組立図である。図４〜図６において、１０は床暖房装置の施工時に床暖房用ヒータ７を保護するためのヒータ保護部材、１１は床暖房用ヒータ７の下側に配置された軟質下地部２に対してヒータ保護部材１０を固定するための面ファスナーである。
【００３８】
図７は図５および図６に示した面ファスナー１１などの拡大断面図である。図７において、１２はフェルト材により構成された軟質下地部２に対してヒータ保護部材１０を固定するために面ファスナー１１に設けられた鉤状突起である。第１の実施形態の床暖房装置の施工時においては、図７に詳細に示すように、ヒータ保護部材１０に取付けられた面ファスナー１１の鉤状突起１２が、軟質下地部２と係合する。その結果、図４および図５に示すように、ヒータ保護部材１０が、床暖房用ヒータ７上に固定される。
【００３９】
上述したように、第１の実施形態の床暖房装置の施工方法では、ヒータ保護部材１０の位置ずれを防止または抑制するために面ファスナー１１が用いられているが、ヒータ保護部材１０の位置ずれを防止または抑制できるものであれば、軟質下地部２または硬質下地材５に凹部を設けると共に、ヒータ保護部材１０に凸部を設けて、それらが係合するようにしてもよく、また、凹部および凸部の形成はその逆でもよく、面ファスナー１１に限られるものではない。
【００４０】
第１の実施形態では、図４〜図７に示したように床暖房装置の施工時に用いられたヒータ保護部材１０および面ファスナー１１が、次回の床暖房装置の施工時に再利用される。
【００４１】
第１の実施形態の床暖房装置では、図１〜図３に示したように、軟質下地部２が複数配列され、それらの軟質下地部２の下側に底部３が配置されている。更に、図３に示したように、隣接する軟質下地部２の間に、硬質下地材５を配置するための凹部６が形成されている。つまり、軟質下地部２に対して硬質下地材５を位置決めするための凹部６が、底部３と軟質下地部２とによって構成されている。そのため、凹部６内に硬質下地材５を挿入することのみにより、軟質下地部２に対して硬質下地材５を容易に位置決めすることができる。すなわち、従来の床暖房装置のように、施工時に軟質下地部と硬質下地材とを調整して組み立てなければならなかった煩わしさを排除することができる。つまり、従来よりも床暖房装置の施工性を向上させることができる。
【００４２】
更に、第１の実施形態の床暖房装置では、上述したように、軟質下地部２の基材と硬質下地材５の基材とが共にフェルト材により構成され、軟質下地部２の熱伝導係数と硬質下地材５の熱伝導係数とがほぼ等しくされている。そのため、従来の床暖房装置のように、例えばフェルト材により構成された軟質下地部の熱伝導係数と、例えば木質根太のような硬質下地材の熱伝導係数とが異なるのに伴って床に温度ムラが発生してしまうのを回避することができる。
【００４３】
更に、第１の実施形態の床暖房装置では、図１〜図３に示したように、底部３と軟質下地部２とが一部材により形成されている。そのため、底部と軟質下地部とが別部材によって形成されている場合よりも部品数を低減することができる。
【００４４】
更に、第１の実施形態の床暖房装置の施工時には、図４〜図７に示したように、露出せしめられた床暖房用ヒータ７を保護するために、ヒータ保護部材１０が用いられる。更に、床暖房用ヒータ７の下側に配置された軟質下地部２に対してヒータ保護部材１０を固定するために、ヒータ保護部材１０には、面ファスナー１１が設けられている。詳細には、図７に示したように、フェルト材により構成された軟質下地部２に対してヒータ保護部材１０を固定するために、面ファスナー１１に鉤状突起１２が設けられている。そのため、床暖房装置の施工時にヒータ保護部材１０が剥がれてしまうのに伴って床暖房用ヒータ７が傷つけられてしまうのを抑制することができる。つまり、従来よりも床暖房装置の施工性を向上させることができる。
【００４５】
更に、第１の実施形態では、上述したように、床暖房装置の施工時に利用されたヒータ保護部材１０が次回の床暖房装置の施工時に再利用される。そのため、一度しか利用されていないヒータ保護部材が床暖房装置の施工時毎に廃棄される場合よりも、床暖房装置の施工時の廃棄物の量を低減することができる。
【００４６】
更に、第１の実施形態の床暖房装置では、底部３と軟質下地部２とから構成される床暖房用ユニット４が、折り曲げに強い材料により形成されている。そのため、床暖房装置の施工前の運搬時などに、例えば底部３を折り曲げることにより、床暖房ユニット４を小さく折りたたむことができる。
【００４７】
更に、第１の実施形態の床暖房装置の施工時に用いられるヒータ保護部材１０の上面には、例えば、ヒータ保護部材１０の下側に床暖房用ヒータ７が配置されている旨が記載されている。そのため、施工業者に注意を喚起させることができる。
【００４８】
以下、本発明の床暖房装置の第２の実施形態について説明する。第２の実施形態の床暖房装置は、後述する点を除き、上述した第１の実施形態の床暖房装置と同様に構成されている。従って、上述した第１の実施形態の床暖房装置とほぼ同様な効果を奏することができる。
【００４９】
図８は本発明の床暖房装置の第２の実施形態の斜視図、図９は図８に示した床暖房装置の断面図、図１０は図８に示した床暖房装置の分解組立図である。図８〜図１０において、図１〜図７に示した参照番号と同一の参照番号は、図１〜図７に示した部品または部分と同一の部品または部分を示している。２１は床暖房装置、２２は床暖房装置２１の一部を構成する軟質下地部である。２３は軟質下地部２２の下側に配置された底部、２４は軟質下地部２２、底部２３、および硬質下地材５により構成された床暖房用ユニットである。第２の実施形態の床暖房装置では、第１の実施形態の床暖房装置とは異なり、軟質下地部２２と底部２３とが別部材により形成されている。２６は硬質下地材５を配置するために隣接する軟質下地部２２の間に形成された凹部である。
【００５０】
図８〜図１０に示すように、第２の実施形態の床暖房装置では、床暖房用ヒータ７からの熱を断熱するために、軟質下地部２２が床暖房用ヒータ７の下側に配置されている。また、この軟質下地部２２により、床暖房装置が設けられた室内の音が遮音されるようになっている。
【００５１】
また、第２の実施形態の床暖房装置では、軟質下地部２２の温度と硬質下地材５の温度とを均一にするために、軟質下地部２２の熱伝導係数と硬質下地材５の熱伝導係数とがほぼ等しくされている。その結果、フロア材８上における温度ムラが抑制されている。詳細には、軟質下地部２２の熱伝導係数と硬質下地材５の熱伝導係数とをほぼ等しくするために、軟質下地部２２を構成する基材と硬質下地材５を構成する基材とが、例えばフェルト材のような同一素材により形成されている。その結果、それらが別素材により形成されている場合よりもコストが抑制されている。
【００５２】
図１０に詳細に示すように、第２の実施形態では、床暖房装置の施工前に、軟質下地部２２と底部２３と硬質下地材５とが予め結合され、それらにより、床暖房用ユニット２４が構成される。次いで、床暖房装置の施工時に、床暖房用ユニット２４が床下地材９（図８参照）上に配置される。次いで、床暖房用ユニット２４の上に床暖房用ヒータ７が配置される。次いで、それらの上にフロア材８が配置され、硬質下地材５に対してフロア材８が釘打ちされる。
【００５３】
図１１は第２の実施形態の床暖房用ユニットが折り曲げられた状態を示した図である。図１１に示すように、第２の実施形態の床暖房用ユニットは、床暖房装置の施工前の運搬時などに、例えば底部２３を折り曲げることにより小さく折りたたむことができるように構成されている。更に、第２の実施形態の床暖房用ユニットでは、硬質下地材５と軟質下地部２２とが互いに結合されない。詳細には、硬質下地材５の端面５’と軟質下地部２２の端面２２’とが互いに結合されない。
【００５４】
図４〜図７に示した第１の実施形態の床暖房装置の施工時と同様に、第２の実施形態の床暖房装置の施工時においても、ヒータ保護部材１０が用いられる。詳細には、第２の実施形態の床暖房装置の施工時においては、ヒータ保護部材１０に取付けられた面ファスナー１１の鉤状突起１２（図７参照）が、軟質下地部２２と係合する。その結果、第１の実施形態の床暖房装置の施工時と同様に、ヒータ保護部材１０が、床暖房用ヒータ７上に固定される。
【００５５】
第１の実施形態と同様に、第２の実施形態においても、床暖房装置の施工時に用いられたヒータ保護部材１０および面ファスナー１１が、次回の床暖房装置の施工時に再利用される。
【００５６】
第２の実施形態の床暖房装置では、図８〜図１０に示したように、軟質下地部２２が複数配列され、それらの軟質下地部２２の下側に底部２３が配置されている。更に、図１０に示したように、隣接する軟質下地部２２の間に、硬質下地材５を配置するための凹部２６が形成されている。つまり、軟質下地部２２に対して硬質下地材５を位置決めするための凹部２６が、底部２３と軟質下地部２２とによって構成されている。そのため、床暖房装置の施工前に、凹部２６内に硬質下地材５を挿入することのみにより、軟質下地部２２に対して硬質下地材５を容易に位置決めすることができる。すなわち、従来の床暖房装置のように、施工時に軟質下地部と硬質下地材とを調整して組み立てなければならなかった煩わしさを排除することができる。つまり、従来よりも床暖房装置の施工性を向上させることができる。
【００５７】
更に、第２の実施形態の床暖房装置では、上述したように、軟質下地部２２の基材と硬質下地材５の基材とが共にフェルト材により構成され、軟質下地部２２の熱伝導係数と硬質下地材５の熱伝導係数とがほぼ等しくされている。そのため、従来の床暖房装置のように、例えばフェルト材により構成された軟質下地部の熱伝導係数と、例えば木質根太のような硬質下地材の熱伝導係数とが異なるのに伴って床に温度ムラが発生してしまうのを回避することができる。
【００５８】
更に、第２の実施形態の床暖房装置では、図８〜図１０に示したように、底部２３と軟質下地部２２とが別部材により形成されている。そのため、床暖房装置の施工前の運搬時などに、例えば底部２３を折り曲げることにより、床暖房ユニットを小さく折りたたむことができる。更に、図１１に詳細に示したように、床暖房装置の施工前に、硬質下地材５が底部２３に対して予め取付けられている。そのため、床暖房装置の施工時に硬質下地材を底部に対して取付けなければならない場合よりも床暖房装置の施工を簡略化することができる。更に、図１１に示したように、硬質下地材５と軟質下地部２２とは互いに結合されない。そのため、床暖房装置の施工前に硬質下地材と軟質下地材とが結合されるのに伴って床暖房装置の施工前の運搬時などに床暖房ユニットを小さく折りたためなくなってしまうのを回避することができる。
【００５９】
上述したように、第１および第２の実施形態の床暖房装置では、軟質下地部２，２２の熱伝導係数と硬質下地材５の熱伝導係数とがほぼ等しくされているが、第３の実施形態の床暖房装置では、軟質下地部の熱伝導係数と硬質下地材の熱伝導係数とを異ならせることも可能である。
【００６０】
上述したように、第２の実施形態では、床暖房装置の施工前に底部２３と硬質下地材５とが互いに結合されているが、第４の実施形態では、床暖房装置の施工前には、底部２３と硬質下地材５とを互いに分離しておき、床暖房装置の施工時に、底部２３に対して硬質下地材５を取付けることも可能である。
【００６１】
第５の実施形態では、上述した第１から第４の実施形態を適宜組み合わせることも可能である。
【００６２】
【発明の効果】
請求項１に記載の発明によれば、凹部内に硬質下地材を挿入することのみにより、軟質下地部に対して硬質下地材を容易に位置決めすることができる。すなわち、床暖房装置の施工時に軟質下地部と硬質下地材とを調整して組み立てる煩わしさを排除することができる。つまり、従来よりも床暖房装置の施工性を向上させることができる。
【００６３】
請求項２に記載の発明によれば、軟質下地部の熱伝導係数と硬質下地材の熱伝導係数とが異なるのに伴って床に温度ムラが発生してしまうのを回避することができる。
【００６４】
請求項３に記載の発明によれば、底部と軟質下地部とが別部材によって形成されている場合よりも部品数を低減することができる。
【００６５】
請求項４に記載の発明によれば、床暖房装置の施工前の運搬時などに、例えば底部を折り曲げることにより、床暖房ユニットを小さく折りたたむことができる。更に、床暖房装置の施工時に硬質下地材を底部に対して取付けなければならない場合よりも床暖房装置の施工を簡略化することができる。更に、床暖房装置の施工前に硬質下地材と軟質下地材とが結合されるのに伴って床暖房装置の施工前の運搬時などに床暖房ユニットを小さく折りたためなくなってしまうのを回避することができる。
【００６６】
請求項５に記載の発明によれば、床暖房装置の施工時に軟質下地部と硬質下地材とを調整して組み立てる煩わしさを排除することができる。
【００６７】
請求項６〜８に記載の発明によれば、床暖房装置の施工時にヒータ保護部材が剥がれてしまうのに伴って床暖房用ヒータが傷つけられてしまうのを抑制することができる。つまり、従来よりも床暖房装置の施工性を向上させることができる。
【００６８】
請求項９に記載の発明によれば、一度しか利用されていないヒータ保護部材が床暖房装置の施工時毎に廃棄される場合よりも、床暖房装置の施工時の廃棄物の量を低減することができる。
【００６９】
請求項１０に記載の発明によれば、床暖房装置の施工時にヒータ保護部材が剥がれてしまうのに伴って床暖房用ヒータが傷つけられてしまうのを抑制することができる。
【図面の簡単な説明】
【図１】本発明の床暖房装置の第１の実施形態の斜視図である。
【図２】図１に示した床暖房装置の断面図である。
【図３】図１に示した床暖房装置の分解組立図である。
【図４】床暖房用ヒータが傷つけられるのを抑制する方法を示した図１と同様の斜視図である。
【図５】床暖房用ヒータが傷つけられるのを抑制する方法を示した図２と同様の断面図である。
【図６】床暖房用ヒータが傷つけられるのを抑制する方法を示した図３と同様の分解組立図である。
【図７】図５および図６に示した面ファスナー１１などの拡大断面図である。
【図８】本発明の床暖房装置の第２の実施形態の斜視図である。
【図９】図８に示した床暖房装置の断面図である。
【図１０】図８に示した床暖房装置の分解組立図である。
【図１１】第２の実施形態の床暖房用ユニットが折り曲げられた状態を示した図である。
【符号の説明】
１  床暖房装置
２  軟質下地部
３  底部
４  床暖房用ユニット
５  硬質下地材
６  凹部
７  床暖房用ヒータ
８  フロア材
１０  ヒータ保護部材
１１  面ファスナー
【図１】
2004353982.tif 000003
【図２】
2004353982.tif 000004
【図３】
2004353982.tif 000005
【図４】
2004353982.tif 000006
【図５】
2004353982.tif 000007
【図６】
2004353982.tif 000008
【図７】
2004353982.tif 000009
【図８】
2004353982.tif 000010
【図９】
2004353982.tif 000011
【図１０】
2004353982.tif 000012
【図１１】
2004353982.tif 000013